(57)【特許請求の範囲】
【請求項１】
加圧された薬液を吐出可能な吐出部に接続されるものであり、前記吐出部からの薬液を充填するとともに、使用者の操作に応じて所定量の薬液を導出するように構成された注入用具であって、
薬液の流量を調整するための調整部を介して前記吐出部から吐出された薬液を収容可能に構成され、前記薬液の収容に応じて拡張する一方、縮小させることに応じて収容された薬液を導出可能な収容室と、
前記収容室の拡張に伴い付勢力を蓄えつつ弾性変形可能な付勢手段と、
前記収容室から導出された薬液を患者側へ導くための導出通路と、
前記導出通路による薬液の導出を阻止するための閉鎖位置と、前記導出通路による薬液の導出を許容する開放位置との間で切換可能な切換弁と、
前記収容室内に前記所定量の薬液が収容された状態で、使用者の操作を受けることにより前記切換弁を前記閉鎖位置から開放位置へ切換可能な操作部とを備え、
前記操作部を用いて前記切換弁を開放位置に切り換えることにより、前記付勢手段に蓄えられた付勢力によって前記収容室を縮小させて前記収容室内に収容された薬液を導出させ、
前記注入用具は、前記収容室を内部に有するとともに所定の伸縮軸に沿って伸縮可能な伸縮容器をさらに備え、
前記付勢手段は、前記伸縮軸に沿った伸縮容器の伸張に応じて前記伸縮軸に沿って縮むことにより、前記収容室内に前記所定量の薬液が充填されるまでの間に前記伸縮容器が伸張する力よりも小さな付勢力であり、かつ、前記切換弁が閉鎖位置から開放位置に切り換えられたときに前記収容室内の薬液の全てを導出可能な付勢力を生じさせる弾性係数を有する弾性部材を有していることを特徴とする注入用具。
【請求項２】
加圧された薬液を吐出可能な吐出部に接続されるものであり、前記吐出部からの薬液を充填するとともに、使用者の操作に応じて所定量の薬液を導出するように構成された注入用具であって、
薬液の流量を調整するための調整部を介して前記吐出部から吐出された薬液を収容可能に構成され、前記薬液の収容に応じて拡張する一方、縮小させることに応じて収容された薬液を導出可能な収容室と、
前記収容室の拡張に伴い付勢力を蓄えつつ弾性変形可能な付勢手段と、
前記収容室から導出された薬液を患者側へ導くための導出通路と、
前記導出通路による薬液の導出を阻止するための閉鎖位置と、前記導出通路による薬液の導出を許容する開放位置との間で切換可能な切換弁と、
前記収容室内に前記所定量の薬液が収容された状態で、使用者の操作を受けることにより前記切換弁を前記閉鎖位置から開放位置へ切換可能な操作部とを備え、
前記操作部を用いて前記切換弁を開放位置に切り換えることにより、前記付勢手段に蓄えられた付勢力によって前記収容室を縮小させて前記収容室内に収容された薬液を導出させ、
前記注入用具は、前記収容室を内部に有するとともに所定の伸縮軸に沿って伸縮可能な伸縮容器をさらに備え、
前記付勢手段は、前記伸縮軸に沿った伸縮容器の伸張に応じて前記伸縮軸に沿って縮み、かつ、前記収容室内に前記所定量の薬液が充填されるまでの間に前記伸縮容器が伸張する力よりも小さな付勢力を生じさせる弾性係数を有する弾性部材を有し、
前記切換弁は、前記導出通路を開閉可能な開閉部と、前記操作部と係合することにより、前記開閉部を閉鎖位置から開放位置に変位させるための前記操作部による操作が可能となる被操作部とを備え、
前記所定量の薬液が前記収容室内に収容された状態において前記操作部と前記被操作部とが係合し、かつ、前記収容室内に収容された薬液が前記所定量よりも予め設定された量以上少ない場合にはこの不足量の分だけ前記収容室が縮んでいることによって前記操作部と前記被操作部との係合が規制されることを特徴とする注入用具。
【請求項３】
前記弾性部材は、コイルばねからなることを特徴とする請求項１又は２に記載の注入用具。
【請求項４】
前記吐出部から吐出された薬液を前記収容室に導くための導入通路をさらに備え、
前記導入通路の少なくとも一部を構成するものとして、前記調整部を備えていることを特徴とする請求項１〜３の何れか１項に記載の注入用具。
【請求項５】
前記切換弁は、前記導出通路を介した薬液の導出終了に至る前記収容室の縮小に応じて前記開放位置から前記閉鎖位置へ切り換えられることを特徴とする請求項１〜４の何れか１項に記載の注入用具。
【請求項６】
加圧された薬液を吐出可能な吐出部と、
前記吐出部に接続された請求項１〜５の何れか１項に記載の注入用具とを備えていることを特徴とする薬液注入システム。
【発明の詳細な説明】
【技術分野】
【０００１】
本発明は、薬液注入装置から吐出された薬液を所定量充填するとともに、使用者の操作に応じて前記所定量の薬液を導出するように構成された注入用具に関するものである。
【背景技術】
【０００２】
従来から前記注入用具として、例えば、特許文献１には、加圧下の液体源を供給するための液体源供給手段と、制御されたボウラス投与量の液体を提供するためのボウラス投与量装置と、液体の定常的な流量を調整するための手段とを含むアセンブリが開示されている。前記ボウラス投与量装置は、前記液体源供給手段からの液体を充填可能な投与量溜めを有し、この投与量溜めは、圧縮されることによりその内容物を排出することができるようになっている。
【先行技術文献】
【特許文献】
【０００３】
【特許文献１】特表平０３−５０５５３８号公報
【発明の概要】
【発明が解決しようとする課題】
【０００４】
しかしながら、特許文献１のボウラス投与量装置では、投与量溜めに充填された薬液を患者の体内へ注入するために、使用者に大きな力が要求されるという問題があった。具体的に、前記投与量溜めに充填された薬液を患者へ注入するためには、フィルターやカテーテルといった流通抵抗の大きな部材を介して薬液を押し流す必要があり、この流れを生成するために投与量溜めを圧縮する力は非常に大きなものとなる。
【０００５】
本発明は、上記課題に鑑みてなされたものであり、薬液注入のために使用者に要求される力を軽減することができる注入用具及びこれを備えた薬液注入システムを提供することを目的としている。
【課題を解決するための手段】
【０００６】
上記課題を解決するために、本発明は、加圧された薬液を吐出可能な吐出部に接続されるものであり、前記吐出部からの薬液を充填するとともに、使用者の操作に応じて所定量の薬液を導出するように構成された注入用具であって、薬液の流量を調整するための調整部を介して前記吐出部から吐出された薬液を収容可能に構成され、前記薬液の収容に応じて拡張する一方、縮小させることに応じて収容された薬液を導出可能な収容室と、前記収容室の拡張に伴い付勢力を蓄えつつ弾性変形可能な付勢手段と、前記収容室から導出された薬液を患者側へ導くための導出通路と、前記導出通路による薬液の導出を阻止するための閉鎖位置と、前記導出通路による薬液の導出を許容する開放位置との間で切換可能な切換弁と、前記収容室内に前記所定量の薬液が収容された状態で、使用者の操作を受けることにより前記切換弁を前記閉鎖位置から開放位置へ切換可能な操作部とを備え、前記操作部を用いて前記切換弁を開放位置に切り換えることにより、前記付勢手段に蓄えられた付勢力によって前記収容室を縮小させて前記収容室内に収容された薬液を導出させ、前記注入用具は、前記収容室を内部に有するとともに所定の伸縮軸に沿って伸縮可能な伸縮容器をさらに備え、前記付勢手段は、前記伸縮軸に沿った伸縮容器の伸張に応じて前記伸縮軸に沿って縮むことにより、前記収容室内に前記所定量の薬液が充填されるまでの間に前記伸縮容器が伸張する力よりも小さな付勢力であり、かつ、前記切換弁が閉鎖位置から開放位置に切り換えられたときに前記収容室内の薬液の全てを導出可能な付勢力を生じさせる弾性係数を有する弾性部材を有していることを特徴とする注入用具を提供する。
【０００７】
本発明によれば、付勢手段に蓄えられた付勢力によって収容室を縮小させて当該収容室内に収容された薬液を導出させることができるので、薬液注入のために使用者に要求される力を軽減することができる。つまり、本発明によれば、使用者が操作部を操作して切換弁を開放位置に切り換えれば、それ以上の力を与えることなく付勢手段の付勢力を利用して収容室内の薬液を導出させることができるため、薬液の導出のために使用者に要求される力としては切換弁を開放位置に切り換えるための力に抑えることができる。したがって、本発明によれば、薬液注入のために使用者に要求される力を軽減することができる。
【０００８】
なお、本発明では、収容部に対する薬液導入側に吐出部からの薬液の流量を調整する（絞る）調整部が設けられるとともに、この調整部が収容部の導出側（カテーテルやフィルター）に比べて大きな流通抵抗を有するものであるため、切換弁が開放位置に切り換えられた状態において、収容部内の薬液は流通抵抗の小さい導出側へ優先して流れることになる。
【０００９】
また、本発明によれば、薬液を導入して伸縮容器を伸張させることにより弾性部材を縮ませて当該弾性部材の付勢力を蓄えることができる。したがって、この構成によれば、弾性部材の付勢力により伸縮性容器を縮ませることによって当該伸縮性容器内の薬液を導出することができる。
【００１０】
さらに、本発明によれば、収容室内に所定量の薬液が充填される長さまで伸縮容器を確実に伸長させることができるとともに、この伸張動作に応じて蓄えられた弾性部材の付勢力によって伸縮容器内の薬液を導出することができる。
【００１１】
具体的に、前記弾性部材は、コイルばねから構成することができる。
【００１２】
前記注入用具において、前記吐出部から吐出された薬液を前記収容室に導くための導入通路をさらに備え、前記導入通路の少なくとも一部を構成するものとして、前記調整部を備えていることが好ましい。
【００１３】
この構成によれば、調整部に規定される流量を複数種類準備することにより、収容室内に所定量の薬液が充填されるのに要する時間（ロックアウトタイム）の異なる複数品種の注入用具を提供することができる。
【００１４】
また、本発明は、加圧された薬液を吐出可能な吐出部に接続されるものであり、前記吐出部からの薬液を充填するとともに、使用者の操作に応じて所定量の薬液を導出するように構成された注入用具であって、薬液の流量を調整するための調整部を介して前記吐出部から吐出された薬液を収容可能に構成され、前記薬液の収容に応じて拡張する一方、縮小させることに応じて収容された薬液を導出可能な収容室と、前記収容室の拡張に伴い付勢力を蓄えつつ弾性変形可能な付勢手段と、前記収容室から導出された薬液を患者側へ導くための導出通路と、前記導出通路による薬液の導出を阻止するための閉鎖位置と、前記導出通路による薬液の導出を許容する開放位置との間で切換可能な切換弁と、前記収容室内に前記所定量の薬液が収容された状態で、使用者の操作を受けることにより前記切換弁を前記閉鎖位置から開放位置へ切換可能な操作部とを備え、前記操作部を用いて前記切換弁を開放位置に切り換えることにより、前記付勢手段に蓄えられた付勢力によって前記収容室を縮小させて前記収容室内に収容された薬液を導出させ、前記注入用具は、前記収容室を内部に有するとともに所定の伸縮軸に沿って伸縮可能な伸縮容器をさらに備え、前記付勢手段は、前記伸縮軸に沿った伸縮容器の伸張に応じて前記伸縮軸に沿って縮み、かつ、前記収容室内に前記所定量の薬液が充填されるまでの間に前記伸縮容器が伸張する力よりも小さな付勢力を生じさせる弾性係数を有する弾性部材を有し、前記切換弁は、前記導出通路を開閉可能な開閉部と、前記操作部と係合することにより、前記開閉部を閉鎖位置から開放位置に変位させるための前記操作部による操作が可能となる被操作部とを備え、前記所定量の薬液が前記収容室内に収容された状態において前記操作部と前記被操作部とが係合し、かつ、前記収容室内に収容された薬液が前記所定量よりも予め設定された量以上少ない場合にはこの不足量の分だけ前記収容室が縮んでいることによって前記操作部と前記被操作部との係合が規制されることを特徴とする注入用具を提供する。
【００１５】
この構成によれば、収容室内に所定量の薬液が充填されるまでの間に操作部が操作されても開閉部が閉鎖位置に維持されるため、所定量に満たない薬液の導出を阻止することができる。したがって、前記構成によれば、目的とする効能を得るために予め定められた量（前記所定量）の薬液を確実に患者に投与することが可能となるため、有効な薬液投与を実現することができるとともに、所定量に満たない薬液を導入してしまうことにより再度所定量を満たすために余分な時間を要するといった不具合を抑制することもできる。
【００１６】
前記注入用具において、前記切換弁は、前記導出通路を介した薬液の導出終了に至る前記収容室の縮小に応じて前記開放位置から前記閉鎖位置へ切り換えられることが好ましい。
【００１７】
この構成によれば、導出通路を介した薬液の導出終了とともに切換弁を閉鎖位置に自動的に切り換えることができるため、使用者により切換弁を閉鎖位置から開放位置にする操作が行なわれるだけで所定量の薬液を確実に患者へ投与することができるとともに、この投与の後に自動的に収容室内への薬液の充填が開始されることになる。
【００１８】
また、本発明は、加圧された薬液を吐出可能な吐出部と、前記吐出部に接続された前記注入用具とを備えていることを特徴とする薬液注入システムを提供する。
【発明の効果】
【００１９】
本発明によれば、薬液注入のために使用者に要求される力を軽減することができる。
【図面の簡単な説明】
【００２０】
【図１】本発明の好ましい実施形態に係る薬液注入システムの全体構成を示す概略図である。
【図２】図１の注入用具の分解斜視図である。
【図３】図１の注入用具の動作を示す断面図であり、吐出完了時（初回充填時）の状態を示したものである。
【図４】図１の注入用具の動作を示す断面図であり、蛇腹容器に対する薬液充填期間中の状態を示したものである。
【図５】図１の注入用具の動作を示す断面図であり、薬液充填完了時の状態を示したものである。
【図６】図１の注入用具の動作を示す断面図であり、操作部材の操作時の状態を示したものである。
【図７】図１の注入用具の動作を示す断面図であり、蛇腹容器内の薬液を患者側へ導出している状態を示したものである。
【図８】図３〜図７の状態を示す一覧表である。
【図９】本発明の別の実施形態に係る薬液注入システムの全体構成を示す概略図である。
【図１０】図９の注入用具の断面図を拡大して示すものであり、薬液が充填されていない状態を示している。
【図１１】図９の注入用具の断面図を拡大して示すものであり、薬液を注入している状態を示している。
【発明を実施するための形態】
【００２１】
以下、本発明の好ましい実施形態について図面を参照して説明する。
【００２２】
図１は、本発明の好ましい実施形態に係る薬液注入システムの全体構成を示す概略図である。図２は、図１の注入用具の分解斜視図である。以下、図１の上下方向を用いて説明する。
【００２３】
図１及び図２を参照して、薬液注入システム１は、加圧された薬液を吐出可能な薬液ポンプ（吐出部）２と、この薬液ポンプ２に接続され、薬液ポンプ２から吐出される薬液の流量を調整するための流量制御器３と、この流量制御器３からの薬液を充填するとともに使用者の操作に応じて所定量の薬液を導出するように構成された注入用具４と、この注入用具４から導出された薬液を患者に導くカテーテル５とを備えている。本実施形態では、薬液ポンプ２と流量制御器３との間が導入チューブＬ１によって接続され、流量制御器３と注入用具４との間が導入チューブＬ２によって接続され、注入用具４とカテーテル５との間が導出チューブＬ３によって接続されている。
【００２４】
薬液ポンプ２は、薬液を収容する収容部を有し、この収容部内の薬液を所定の圧力に加圧した状態で吐出するように構成されたものである。具体的に、薬液ポンプ２としては、例えば、国際公開第９５／２８９７７号に開示されるような大気圧を駆動源とするもの、特開２００４−１４７８６２号公報に開示されるような伸縮性容器の復元力を駆動力とするもの、又はばね等の弾性部材の付勢力を駆動力とするものを採用することができる。
【００２５】
注入用具４は、薬液ポンプ２に接続される導入チューブ（導入通路）Ｌ２と、この導入チューブＬ２により導かれた薬液を収容可能な蛇腹容器６と、この蛇腹容器６から導出された薬液をカテーテル５側に導くための導出チューブ（導出通路）Ｌ３と、蛇腹容器６に取り付けられるとともに前記導入チューブＬ２及び導出チューブＬ３に接続された接続部材７と、この接続部材７に設けられた切換弁８と、蛇腹容器６の伸縮に応じて弾性変形するコイルばね（付勢手段）９と、前記蛇腹容器６、接続部材７、切換弁８及びコイルばね９を収納する筒状容器１０及び蓋体１１と、筒状容器１０の一端に設けられた操作部材（操作部）１２とを備えている。
【００２６】
蛇腹容器６は、上下方向の伸縮軸に沿って伸縮可能に構成され、その伸縮方向の下側が閉じられているとともに、上側が開口している。具体的に、蛇腹容器６は、前記伸縮軸に沿って伸縮可能な円筒状の蛇腹本体６ａと、この蛇腹本体６ａの下側を閉じる底部６ｂと、この底部６ｂに設けられた突出部６ｃとを備えている。この突出部６ｃは、底部６ｂよりも小さな直径寸法を有して下に突出している。
【００２７】
接続部材７は、蛇腹容器６の開口部を塞いで当該蛇腹容器６の内部に収容室Ｓ１を形成するとともに、この収容室Ｓ１と連通可能となるように導入チューブＬ２及び導出チューブＬ３に接続され、後述する切換弁８を保持する。具体的に、接続部材７は、略同等の直径寸法を有する一対の円板部７ａ及び円板部７ｃと、これら円板部７ａ、７ｃを同心に連結する連結部７ｂとを備えている。円板部７ａの下面には、蛇腹容器６の蛇腹本体６ａの開口側の端面が突き合わされた状態で接着されている。また、円板部７ａは、蛇腹本体６ａの内側となる位置で上下に貫通する貫通孔７ｄを有している。この貫通孔７ｄと連通するように、円板部７ａには前記導入チューブＬ２が接続されている。連結部７ｂは、各円板部７ａ、７ｃの略中心位置で当該円板部７ａ、７ｃ同士を連結する。この連結部７ｂには、各円板部７ａ、７ｃの中心に対応する位置に挿通孔７ｆが形成され、前記収容室Ｓ１は、この挿通孔７ｆを通して円板部７ｃの上側に開放されている。この挿通孔７ｆには後述する切換弁８が挿入されている。また、連結部７ｂには、当該連結部７ｂの軸線方向と直交する方向に連結部７ｂを貫く貫通孔７ｅが形成されている。この貫通孔７ｅと連通するように、連結部７ｂには前記導出チューブＬ３が接続されている。
【００２８】
切換弁８は、前記導出チューブＬ３を介した薬液の導出を許容する開放位置と、前記導出チューブＬ３を介した薬液の導出を阻止する閉鎖位置との間で切換可能となるように、前記連結部７ｂの挿通孔７ｆ内に設けられている。具体的に、切換弁８は、前記挿通孔７ｆ内に挿通可能な太さを有する棒状の棒状本体８ａと、この棒状本体８ａの外側に設けられた上下一対のオーリング８ｂ、８ｃとを備えている。これらオーリング８ｂ、８ｃは、棒状本体８ａと挿通孔７ｆの内側面との間で挟持されることにより当該棒状本体８ａと連結部７ｂとの間の薬液の流通を阻止する大きさとされているとともに、図１に示すように挿通孔７ｆ内で貫通孔７ｅを挟むことができる間隔で互いに上下に離間して配置されている。そして、各オーリング８ｂ、８ｃ間で貫通孔７ｅを挟んだ図１に示す閉鎖位置から図６に示すように棒状本体８ａが下側に移動してオーリング８ｃが連結部７ｂの下側に配置された開放位置へ切り換えることにより、収容室Ｓ１内の薬液を貫通孔７ｅを通して導出チューブＬ３側に導くことができる。一方、棒状本体８ａは、閉鎖位置において蛇腹容器６内に所定量の薬液が充填されたときに図５に示すように操作部材１２の下面に当接することができる長さを有している。換言すると、棒状本体８ａは、閉鎖位置において蛇腹容器６内に充填された薬液が予め設定された量以下である場合には、この不足分だけ蛇腹容器６が縮んでいることにより操作部材１２の下面から離間する長さを有している。また、棒状本体８ａは、開放位置において前記所定量の薬液の導出が完了に至る蛇腹容器６の縮小動作に応じて、図３に示すように蓋体１１に当接して閉鎖位置に戻ることができる長さを有している。本実施形態では、各オーリング８ｂ、８ｃ及びこれらを支持する棒状本体８ａの一部が開閉部に該当し、棒状本体８ａの上部が操作部材１２と係合する被操作部に該当する。
【００２９】
コイルばね９は、筒状容器１０と蓋体１１の間で蛇腹容器６の伸縮動作に応じて伸縮可能とされている。具体的に、筒状容器１０は、筒状の本体部１０ａと、この本体部１０ａの上部において内側に突出する突出部１０ｂとを備え、この突出部１０ｂと本体部１０ａの下方開口端に固定された蓋体１１との間で、前記蛇腹容器６、接続部材７、切換弁８及びコイルばね９を収納する。つまり、蓋体１１は、伸縮可能となるように蛇腹本体６ａの底部６ｂを支持するとともに、この蛇腹容器６上に固定された接続部材７の円板部７ｃと筒状容器１０の突出部１０ｂとの間でコイルばね９が支持されている。そして、コイルばね９のばね係数は、蛇腹容器６内に所定量（本実施形態では３ｍｌ）の薬液が充填されるまでの間に当該蛇腹容器６を伸張する力（薬液ポンプ２の吐出圧に起因する力）よりも小さな弾性力を生じさせるように設定されている。したがって、蛇腹本体６ａの伸張動作に応じてコイルばね９が弾性力を蓄えながら縮む一方、後述する操作部材１２が操作されることにより、蛇腹本体６ａを縮小させるための力としてコイルばね９の弾性力を利用することができる。
【００３０】
操作部材１２は、使用者から操作を受けることにより、前記切換弁８の棒状本体８ａを押圧して当該切換弁８を閉鎖位置から開放位置に切り換えるためのものである。具体的に、操作部材１２は、下向きに開く有底容器状の操作部本体１２ａと、この操作部本体１２ａの底部から下方に突出する筒部１２ｂと、この筒部１２ｂの下端部から外側に突出するフランジ部１２ｃと、前記筒部１２ｂと同軸となるように前記操作部本体１２ａの底部から下方に突出する操作棒１２ｄとを備えている。前記操作部本体１２ａは、前記筒状容器１０の本体部１０ａに対し上部開口から挿入され、前記突出部１０ｂを下限として、本体部１０ａの内側面に沿って上下に摺動可能とされている。筒部１２ｂは、前記突出部１０ｂに形成された孔を通って当該突出部１０ｂを上下に貫通している。フランジ部１２ｃは、筒状容器１０の突出部の下面と当接することにより操作部材１２の上方への抜け止めとして機能する。また、フランジ部１２ｃの下面には前記コイルばね９の上端部が当接し、このコイルばね９の付勢力によって、操作部材１２が常に上方に付勢されている。操作棒１２ｄは、前記切換弁８の棒状本体８ａと同軸に配置され、当該棒状本体８ａの上端面が操作棒１２ｄの下端面に当接した状態で、操作部材１２を押下操作することにより切換弁８が閉鎖位置から開放位置に押し下げられる。
【００３１】
以下、前記薬液注入システム１の動作について、図３〜図８を参照して説明する。図３は、図１の注入用具４の動作を示す断面図であり、吐出完了時（初回充填時）の状態を示したものである。図４は、蛇腹容器６に対する薬液充填期間中の状態を示したものである。図５は薬液充填完了時の状態を示したものである。図６は、操作部材１２の操作時の状態を示したものである。図７は、蛇腹容器６内の薬液を患者側へ導出している状態を示したものである。図８は、図３〜図７の状態を示す一覧表である。
【００３２】
図３及び図８を参照して、蛇腹容器６内の薬液が全て充填された時、又は注入用具４の使用開始時においては、蛇腹容器６の蛇腹本体６ａは、コイルばね９の付勢力によって最も縮められた状態とされている。なお、本実施形態では、蛇腹容器６が最も縮められた状態においてもコイルばね９の付勢力が生じるように、蛇腹容器６が最も縮められた状態でコイルばね９も縮んでいるようにコイルばね９の長さが設定されている。この図３の状態においては、切換弁８の棒状本体８ａの下端部が蛇腹容器６の底部６ｂ（突出部６ｃ）に当接して上に押し上げられることにより、切換弁８が閉鎖位置とされている。したがって、この状態において、導入チューブＬ２からの薬液が貫通孔７ｄを通って導入されることにより、図３の状態から所定の時間（以下、ロックアウトタイムと称す）をかけて所定量（本実施形態では３ｍｌ）の薬液が蛇腹容器６内に充填される。
【００３３】
図４及び図８を参照して、ロックアウトタイム中においては、薬液の充填に伴い蛇腹容器６が伸張することに応じて接続部材７が押し上げられる結果、この接続部材７と筒状容器１０の突出部１０ｂとの間に設けられたコイルばね９が押し縮められる。換言すると、コイルばね９の弾性力を蓄えつつ蛇腹容器６が伸張する。なお、蛇腹容器６の伸張時には、接続部材７と一体となって切換弁８も閉鎖位置を保持したまま上昇することになる。
【００３４】
図５及び図８を参照して、ロックアウトタイムが到来すると、つまり、所定量の薬液が充填されると、切換弁８の棒状本体８ａの上端面が操作部材１２の操作棒１２ｄに当接する。図示を省略しているが、このロックアウトタイム到来時において、接続部材７の上昇が規制されるようになっている。具体的には、接続部材７の上面と当接する位置決め部を筒状容器１０の内側面に設けることや、これ以上の伸張を妨げるように蛇腹容器６の肉厚や形状を設計することや、蛇腹容器６が伸張する力とコイルばね９による弾性力とが吊り合うようにコイルばね９のばね係数を設定することにより、接続部材７の上昇を規制することができる。
【００３５】
図６及び図８を参照して、ロックアウトタイムの到来後、操作部材１２を押し下げ操作すると、棒状本体８ａが押し下げられることによりオーリング８ｃが円板部７ａよりも下に配置される。これにより、矢印Ｙ１に示すように蛇腹容器６から導出チューブＬ３への薬液の流通が許容されることにより蛇腹容器６内（収容室Ｓ１）が減圧されるため、コイルばね９に蓄えられた弾性力により蛇腹容器６が縮小して当該蛇腹容器６内の薬液が挿通孔７ｆ及び貫通孔７ｅを介して導出チューブＬ３に導出される。ここで、蛇腹容器６内の薬液が導出チューブＬ３側に優先的に流れるのは、流量制御器３の流通抵抗がカテーテル５の流通抵抗に比べて大きいためである。
【００３６】
図７及び図８を参照して、薬液導出中においては、蛇腹容器６の縮小動作に追従して接続部材７も下降するため、切換弁８は、開放位置を維持したまま下降することになる。そして、上述した図３のように、蛇腹容器６内の薬液を全て導出すると、棒状本体８ａが蛇腹容器６の底部６ｂに当接して押し上げられることにより、切換弁８は、閉鎖位置へ切り換えられる。
【００３７】
以上説明したように、前記実施形態によれば、コイルばね９に蓄えられた弾性力によって収容室Ｓ１を収縮させて当該収容室Ｓ１内に収容された薬液を導出させることができるので、薬液注入のために使用者に要求される力を軽減することができる。つまり、本発明によれば、使用者が操作部材１２を操作して切換弁８を開放位置に切り換えれば、それ以上の力を与えることなくコイルばね９の弾性力を利用して収容室Ｓ１内の薬液を導出させることができるため、薬液の導出のために使用者に要求される力としては切換弁８を開放位置に切り換えるための力に抑えることができる。したがって、前記実施形態によれば、薬液注入のために使用者に要求される力を軽減することができる。
【００３８】
前記実施形態のように、上下方向に伸縮する蛇腹容器６と蛇腹容器６の伸張に応じて縮むコイルばね９とを備えた構成によれば、コイルばね９の弾性力により蛇腹容器６を縮ませることによって当該蛇腹容器６内の薬液を導出することができる。
【００３９】
なお、本実施形態では、蛇腹容器６の伸張に応じて縮む弾性部材として、コイルばね９を例示したが、これに限定されるものではなく、例えば、弾性変形可能なゴムや、空気ばねのような流体ばねを弾性部材として用いることもできる。
【００４０】
前記実施形態のように、収容室Ｓ１内に所定量の薬液が充填されるまでの間に蛇腹容器６が伸張する力よりも小さな弾性力を生じさせるばね係数をコイルばね９が有する構成によれば、収容室Ｓ１内に所定量の薬液が充填される長さまで蛇腹容器６を確実に伸長させることができるとともに、この伸張動作に応じて蓄えられたコイルばね９の弾性力によって蛇腹容器６内の薬液を導出することができる。
【００４１】
前記実施形態のように、所定量の薬液が収容室Ｓ１内に収容された状態において操作部材１２と切換弁８の棒状本体８ａとが当接し、収容室Ｓ１内に収容された薬液が前記所定量よりも不足している場合にはこの不足量の分だけ蛇腹容器６が縮んでいることによって操作部材１２と棒状本体８ａとが非接触とされる構成によれば、所定量の薬液が充填されるまでの間に操作部材１２が操作されても切換弁８が閉鎖位置に維持されるため、所定量に満たない薬液の導出を阻止することができる。したがって、前記実施形態によれば、目的とする効能を得るために予め定められた量（所定量）の薬液を確実に患者に投与することが可能となるため、有効な薬液投与を実現することができるとともに、所定量に満たない薬液を導入してしまうことにより再度所定量を満たすために余分な時間を要するといった不具合を抑制することもできる。
【００４２】
なお、本実施形態では、蛇腹容器６内の薬液の充填量が、本来必要な量（例えば、３ｍｌ）の９割の量以下である場合、操作部材１２を押し下げても切換弁８が開放位置とならないように、当該切換弁８の棒状本体８ａの長さが設定されている。
【００４３】
前記実施形態のように、導出チューブＬ３を介した薬液の導出終了に至る蛇腹容器６の縮小に応じて切換弁８が開放位置から閉鎖位置に切り換えられる構成によれば、薬液の導出終了とともに切換弁８を自動的に切り換えることができるので、使用者により切換弁８を閉鎖位置から開放位置にする操作が行なわれるだけで所定量の薬液を確実に患者へ投与することができるとともに、この投与の後に自動的に蛇腹容器６内への薬液の充填が開始されることになる。
【００４４】
なお、前記実施形態では、導入チューブＬ２を介して流量制御器３が取り付けられているが、注入用具４（例えば、接続部材７）に対して直接流量制御器３を設けることもできる。
【００４５】
以下、本発明の別の実施形態について図９〜図１１を参照して説明する。
【００４６】
図９は、本発明の別の実施形態に係る薬液注入システム２０の全体構成を示す概略図である。図１０は、図９の注入用具の断面図を拡大して示すものであり、薬液が充填されていない状態を示している。図１１は、図９の注入用具の断面図を拡大して示すものであり、薬液を注入している状態を示している。なお、各図の上下方向を用いて以下説明する。
【００４７】
図９〜図１１を参照して、薬液注入システム２０は、薬液ポンプ２と、この薬液ポンプ２と導入チューブＬ４を介して接続された注入用具２１と、この注入用具２１と導出チューブＬ５を介して接続されたカテーテル５とを備えている。
【００４８】
注入用具２１は、導入チューブＬ４と、この導入チューブＬ４に接続された第一接続部材２２と、この第一接続部材２２に設けられた流量制御部材２３と、この流量制御部材２３からの薬液を収容する収容室Ｓ２を形成するための弾性筒（弾性容器の側壁）２４と、収容室Ｓ２から導出された薬液を患者側へ導くための導出チューブＬ５と、弾性筒２４の上端に設けられるとともに導出チューブＬ５に接続された第二接続部材２５と、この第二接続部材２５に設けられた切換弁２６と、第二接続部材２５を摺動可能に保持する保持部材２７と、第一接続部材２２及び保持部材２７を固定しつつ第一接続部材２２、流量制御部材２３、弾性筒２４、第二接続部材２５、切換弁２６及び保持部材２７を収納する収納容器２８と、この収納容器２８の上端に設けられた操作部材（操作部）３０と、この操作部材３０を収納容器２８に対して付勢するコイルばね２９とを備えている。
【００４９】
第一接続部材２２は、収容室Ｓ２の下端を規定するための部材であり、合成樹脂からなる。具体的に、第一接続部材２２は、円柱面状の外側面を有する本体部２２ａと、この本体部２２ａから下方に突出する筒体２２ｂと、この筒体２２ｂと同心に前記本体部２２ａを上下に貫通する貫通孔２２ｃとを備えている。筒体２２ｂの下端部には、導入チューブＬ４が接続されている。また、筒体２２ｂ内には、後述する流量制御部材２３が圧入されており、この流量制御部材２３と筒体２２ｂの内側面との間を通過した薬液が貫通孔２２ｃを介して収容室Ｓ２内に導かれる。
【００５０】
流量制御部材２３は、略円柱状の合成樹脂部材である。この流量制御部材２３は、前記筒体２２ｂの内径寸法と同等又はこれよりも若干大きい外形寸法を有し、前記筒体２２ｂ内に圧入されている。そして、流量制御部材２３の外周面には、螺旋状の凹溝が形成されており、この凹溝の内側面と筒体２２ｂの内側面との間に区画される微小な流路を通じて薬液を通すことにより、圧力損失を生じさせて薬液の流量が絞られる。
【００５１】
弾性筒２４は、弾性可能な合成樹脂からなる円筒状の部材である。この弾性筒２４の下端部は、前記第一接続部材２２の本体部２２ａの円柱状の外側面に被せられた状態で当該本体部２２ａに対して接着等の手段により固定されている。一方、弾性筒２４の上端部は、後述する第二接続部材２５の外側に被せられた状態で当該第二接続部材２５に対して接着等の手段により固定されている。これにより、弾性筒２４内には、第一接続部材２２と第二接続部材２５との間に薬液を収容可能な収容室Ｓ２が形成されている。したがって、図９に示すように弾性筒２４を伸ばしつつ第一接続部材２２と第二接続部材２５とが離間することにより収容室Ｓ２が拡張する一方、図１０に示すように第一接続部材２２と第二接続部材２５とが近接することにより収容室Ｓ２が縮小する。なお、前記第一接続部材２２の貫通孔２２ｃは、収容室Ｓ２内に開口している。
【００５２】
第二接続部材２５は、円柱面状の外側面を有する本体部２５ａと、この本体部２５ａから上方に突出する保持筒２５ｂと、この保持筒２５ｂから当該保持筒２５ｂと直交する方向に延びる接続筒２５ｃとを備えている。本体部２５ａの円柱状の外側面には、前記弾性筒２４が被せられて固定されている。また、本体部２５ａには、保持筒２５ｂと同軸に上下に貫通する孔が形成されており、この孔及び保持筒２５ｂを介して収容室Ｓ２は第二接続部材２５の上側に開放されている。接続筒２５ｃは、保持筒２５ｂ内と連通する筒体であり、その先端部に導出チューブＬ５が接続されている。
【００５３】
切換弁２６は、導出チューブＬ５を介した薬液の導出を許容する開放位置と、導出チューブＬ５を介した薬液の導出を阻止する閉鎖位置との間で切換可能となるように、第二接続部材２５の保持筒２５ｂ内に設けられている。具体的に、切換弁２６は、前記保持筒２５ｂ内に挿通可能な太さを有する棒状の棒状本体２６ａと、この棒状本体２６ａの外側に設けられた上下一対のオーリング２６ｂ、２６ｃとを備えている。これらオーリング２６ｂ、２６ｃは、棒状本体２６ａと保持筒２５ｂの内側面との間で挟持されることにより当該棒状本体２６ａと保持筒２５ｂとの間の薬液の流通を阻止する大きさとされているとともに、図９に示すように保持筒２５ｂ内で接続筒２５ｃ内の孔を上下に挟むことができる間隔で互いに離間して配置されている。そして、各オーリング２６ｂ、２６ｃ管で接続筒２５ｃ内の孔を挟んだ図９に示す閉鎖位置から図１１に示すように棒状本体２６ａが下側に移動してオーリング２６ｃが第二接続部材２５の外側（下側）に配置された開放位置へ切り換えることにより、収容室Ｓ２内の薬液を接続筒２５ｃを通して導出チューブＬ５側に導くことができる。一方、棒状本体２６ａは、閉鎖位置において収容室Ｓ２内に所定量の薬液が充填されたときに図９に示すように操作部材３０の下面に当接することができる長さを有している。換言すると、棒状本体２６ａは、閉鎖位置において収容室Ｓ２内に充填された薬液が予め設定された量以下である場合には、この不足分だけ第二接続部材２５が第一接続部材２２に近接していることにより操作部材３０の下面から離間する長さを有している。また、棒状本体２６ａは、開放位置において所定量の薬液の導出が完了に至る収容室Ｓ２の縮小動作（両接続部材２２、２５の近接動作）に応じて、図１０に示すように第一接続部材２２に当接して閉鎖位置に戻ることができる長さを有している。
【００５４】
保持部材２７は、前記第二接続部材２５が上下に移動可能となるように当該第二接続部材２５を内側に保持する。具体的に、保持部材２７は、上端が閉じられるとともに前記第二接続部材２５の本体部２５ａを収容可能な円筒状の部材であり、その底部を上下に貫通して前記棒状本体２６ａの上端部を挿通させる挿通孔２７ｂと、第二接続部材２５の接続筒２５ｃ（導出チューブＬ５）の上下動を許容するために側壁に設けられたスリット２７ａとを備えている。
【００５５】
収納容器２８は、前記第一接続部材２２と保持部材２７とを一定の間隔で固定するとともに後述する操作部材３０を操作可能に保持するためのものである。具体的に、収納容器２８は、前記第一接続部材２２、流量制御部材２３、弾性筒２４、第二接続部材２５、切換弁２６及び保持部材２７の外側を覆う略円形の被覆部２８ａと、この被覆部２８ａから上下にそれぞれ突出する円筒部２８ｂ及び円筒部２８ｃと、下側の円筒部２８ｂ内に設けられた保持部材３１とを備えている。被覆部２８ａの内側面には、接着等の手段によって保持部材２７が固定されている。保持部材３１は下側の円筒部２８ｂの内側面に固定されているとともに、保持部材３１の上面には前記第一接続部材２２の本体部２２ａの下面が固定されている。また、保持部材３１は、前記第一接続部材２２の筒体２２ｂを通すための貫通孔３１ａと、導出チューブＬ５を通すための貫通孔３１ｂとを有している。一方、上側の円筒部２８ｃには、内側へ突出する突出部２８ｄが設けられている。この突出部２８ｄは、後述する操作部材３０の上方への抜け止めとして機能する。
【００５６】
操作部材３０は、使用者から操作を受けることにより、切換弁２６の棒状本体２６ａを押圧して当該切換弁２６を閉鎖位置から開放位置に切り換えるためのものである。具体的に、操作部材３０は、操作面を有する操作部３０ａと、この操作部の周縁部に下向きに立設された側壁３０ｂと、この側壁３０ｂに形成された係合穴３０ｃと、操作部３０ａから下方に突出する操作棒３０ｄとを備えている。操作部３０ａ及び側壁３０ｂは、前記収納容器２８の上側の円筒部２８ｃ内に摺動可能に挿入されている。係合穴３０ｃは、収納容器２８に対する操作部材３０の上下動の範囲を規定する。具体的に、係合穴３０ｃ内には、前記収納容器２８の突出部２８ｄが挿入されており、この突出部２８ｄと係合穴３０ｃの上側の側面とが当接する下限位置と、突出部２８ｄと係合穴３０ｃの下側の側面とが当接する上限位置との間で、操作部材３０が上下動可能とされている。操作棒３０ｄは、切換弁２６の棒状本体２６ａと同軸に配置され、当該棒状本体２６ａの上端面が操作棒３０ｄの下端面に当接した状態で、操作部材３０を押下操作することにより切換弁２６が閉鎖位置から開放位置に押し下げられる。
【００５７】
コイルばね２９は、前記操作部３０ａの下面と保持部材２７の上面との間に設けられ、操作部材３０を常時上に付勢している。
【００５８】
以下、前記薬液注入システム１の動作について説明する。
【００５９】
図１０を参照して、収容室Ｓ２内の薬液が全て充填された時、又は注入用具２１の使用開始時においては、第二接続部材２５は、弾性筒２４の弾性力（復元力）によって最も第一接続部材２２に近接した状態（収容室Ｓ２が空の状態）とされている。この状態においては、切換弁２６の棒状本体２６ａの下端部が第一接続部材２２の上面に当接して、第二接続部材２５に対して上に押し上げられていることにより、切換弁２６が閉鎖位置とされている。したがって、この状態において、導入チューブＬ４から薬液が貫通孔２２ｃを通って導入されることにより、図１０の状態からロックアウトタイムをかけて所定量の薬液が収容室Ｓ２内に充填される。収容室Ｓ２内に薬液が導入されると、第一接続部材２２と第二接続部材２５とが互いに離間することにより、弾性筒２４を伸張させて当該弾性筒２４の復元力を蓄えつつ、収容室Ｓ２内に薬液が充填される。
【００６０】
図９を参照して、ロックアウトタイムが到来すると、切換弁２６の棒状本体２６ａの上端面が操作部材３０の操作棒３０ｄに当接する。この状態で、操作部材３０を押し下げ操作すると、棒状本体２６ａが押し下げられることによりオーリング２６ｃが第一接続部材２２の外側（下側）に配置される。その結果、収容室Ｓ２から導出チューブＬ５への薬液の流通が許容されることにより収容室Ｓ２内が減圧されるため、弾性筒２４に蓄えられた復元力により第二接続部材２５が下に引っ張られて収容室Ｓ２が縮小し、当該収容室Ｓ２内の薬液が導出チューブＬ５を介して導出される。
【００６１】
図１１を参照して、薬液導出中においては、第二接続部材２５の移動に追従して切換弁２６も下降するため、切換弁２６は、開放位置を維持したまま下降することになる。そして、図１０のように、収容室Ｓ２内の薬液を全て導出すると、棒状本体２６ａが第一接続部材２２の上面に当接して押し上げられることにより、切換弁２６は、閉鎖位置へ切り換えられる。
【００６２】
以上説明したように、前記実施形態によれば、弾性筒２４の側壁そのものを付勢手段として利用することができるので、薬液を収容するための容器とこの容器の拡張に応じて縮む弾性部材とを個別に設ける場合と比較して構成を簡素化することができる。
【符号の説明】
【００６３】
Ｌ１、Ｌ２、Ｌ４    導入チューブ（導入通路）
Ｌ３、Ｌ５    導出チューブ（導出通路）
Ｓ１、Ｓ２    収容室
１、２０    薬液注入システム
２    薬液ポンプ（吐出部）
３    流量制御器（調整部）
４、２１    注入用具
６    蛇腹容器（伸縮容器）
８、２６    切換弁
８ａ、２６ａ    棒状本体（開閉部、被操作部）
８ｂ、８ｃ、２６ｂ、２６ｃ    オーリング（開閉部）
９    コイルばね（弾性部材）
１２、３０    操作部材（操作部）
２２    第一接続部材（弾性容器の一部）
２３    流量制御部材（調整部）
２４    弾性筒（弾性容器の側壁）
２５    第二接続部材（弾性容器の一部）
【図１】
0005631603.tif 000002
【図２】
0005631603.tif 000003
【図３】
0005631603.tif 000004
【図４】
0005631603.tif 000005
【図５】
0005631603.tif 000006
【図６】
0005631603.tif 000007
【図７】
0005631603.tif 000008
【図８】
0005631603.tif 000009
【図９】
0005631603.tif 000010
【図１０】
0005631603.tif 000011
【図１１】
0005631603.tif 000012